(57)【要約】  本発明の目的は、概して、公共施設、建物、車両、及び輸送ネットワークにおける緊急事態を検出するための装置（100）、システム、及び方法に関し、当該装置、システム、及び方法は、熱イメージング捕捉装置（104）を、煙及び／またはガス検出器（102、103）と組み合わせて、設置場所に関係なく、上述の公共施設、建物、車両、及び輸送ネットワークの何れかにおける個人の安全を監視及び制御するために使用することを含む。
2019534488.tif 000002
【特許請求の範囲】
【請求項１】
a．1）煙検出器（102）、
a．2）一酸化炭素検出器（103）、または、
a．3）煙検出器（102）と一酸化炭素検出器（103）との組み合わせ、
を含む、a)少なくとも一つのガス検出センサと、
b) c)-f)及びプログラムを少なくとも収容するシェル(101)と、
を含む緊急検出装置であって、
c)-f)及びプログラムは、
c)少なくとも1つの熱イメージングセンサ(104)であって、
c．1）前記熱イメージングセンサ（104）は、監視領域（200）の熱画像を捕捉するように構成され、
c．2）監視領域（200）が熱イメージングセンサ（104）の視野によって画定され、ガスセンサ（102、103）の検出範囲と一致する、
熱イメージングセンサ(104)、
d)メモリ（105）、
e)少なくとも1つのプロセッサ（106）、
f)無線通信モジュール107、及び、
メモリ（105）に記憶され、少なくとも1つのプロセッサ（106）によって実行されるように構成された少なくとも1つの前記プログラムであって、1)-5)の命令を含むことを特徴とするプログラム、
1)少なくとも1つの火災及びガス検出センサ（102、103）が作動されるときに、少なくとも1つの熱イメージングセンサ（104）を作動させ、
2)熱イメージングセンサ（104）を作動させた火災及びガス検出センサ（102、103）の監視領域（200）に関連する熱画像を取り込み、
3) 取り込まれた監視領域の熱画像を処理し、
4) 取り込まれた熱画像を分析することによって、監視領域（200）内の少なくとも1人の人物（201）の存在を検出及び識別し、
5) 無線通信モジュール（107）を介して外部サーバ（300）によって理解され得る警告メッセージを送信し、メッセージは、少なくとも5.1)-5.5)を含む、
5.1) 信号を発信した検出装置(100)の1つの固有の識別子コード、
5.2) 作動している火災及びガス検出器（102、103）の1つの識別コード、
5.3) 少なくとも1つの火災及びガス検出器（102、103）の作動が行われた監視領域（200）の1つの処理された熱画像、
である、緊急検出装置。
【請求項２】
温度検出センサ（108）を含む、請求項1に記載の装置（100）。
【請求項３】
シェル（101）が、衝撃破砕に耐えるように構成された保護ジャケット（101a）を含み、保護ジャケット（101a）の下に断熱層（101b）が存在する、請求項1または請求項2に記載の装置（100）。
【請求項４】
充電式電池（109）を含む、請求項1〜請求項3の何れか一項に記載の装置（100）。
【請求項５】
少なくとも1つの緊急検出装置（100）が、a)及びb)のために構成されたサーバ（300）に接続されることを特徴とする、請求項1〜4の何れか一項に記載の少なくとも1つの緊急検出装置（100）を含み、公共施設、建物、車両、及び輸送ネットワークにおける緊急を検出する緊急検出システムであって、
a)及びb)は、
a)緊急事態における優先順位を設定し、
b)緊急事態が現実のものであることが確定された場合、以前の時点で確定された優先度に応じて、救助端末（301）に少なくともb.1)〜b.3)を提供し、
b.1)〜b.3)は、
b．1）緊急事態の地理的位置地図、
b．2）以前の時点で確立された緊急事態の地理的位置に応じた、緊急事態への最適なアクセス経路、
b．3）検出された非常事態のタイプ、
であり、
1つまたは複数の熱検出装置（100）から受け取った処理済み熱画像をリアルタイムで提供する、
緊急検出システム。
【請求項６】
a) 少なくとも、1つの煙検出器（102）または1つの一酸化炭素検出器（103）の作動により、少なくとも1つの緊急検出器（100）の監視領域（200）における緊急状況を検出し、
b)検出された緊急事態を有する監視領域(200)の熱画像を取り込み、
c)緊急事態が発生した監視領域（200）内の少なくとも1人の人（201）の存在を特定し、
d)少なくとも1つの救助端末（301）に、緊急事態の地理的参照位置マップ、以前の時点で確立された緊急事態の地理的位置に依存する緊急事態への最適なアクセスルート、検出された緊急事態のタイプを送信し、緊急事態を検出した1つまたは複数の緊急事態検出器（100）から受信された処理済み熱画像をリアルタイムで提供する、
請求項5に記載のシステムにおいて実施される公共施設、建物、車両及び輸送ネットワークにおける緊急事態を検出するための方法。
【請求項７】
少なくとも1つのプロセッサによって実行されるように構成された命令を有し、少なくとも1つのプロセッサによって実行されるとき、請求項5に記載のシステムに、請求項6に記載の方法を実行させる、コンピュータソフトウェア。
【発明の詳細な説明】
【技術分野】
【０００１】
本発明は、一般に、熱イメージング装置の使用を含む、公共施設、建物、車両、及び輸送ネットワークにおける緊急事態を検出する装置、システム、及び方法に関し、より詳細には、例えば、設置場所にかかわらず、公共施設、建物、車両、及び輸送ネットワークの何れかにおける個人の安全を監視及び制御するための熱画像の使用に関する。
【背景技術】
【０００２】
現在、全てのタイプの建物の安全性を向上させる傾向があり、居住施設、事務所、及び一般に人がいる全ての施設に、複数の火災検出器、煙検出器、及び一酸化炭素(CO:carbon monoxide)検出器を設置する必要がある。
【０００３】
したがって、建築における安全基準の実施は、いくつかのタイプの装置、センサ、及び検出器を家庭及びビルディングに設けることを強いる。従来、部屋は、照明を自動的に制御するための、部屋内の人の存在を検出する動き検出器、システムを制御するためのサーモスタット、電力消費を制御するための他の空調、換気、及び熱パワーセンサ、火災警報、煙検出器、及びCO検出器を有することができる。このタイプの従来の検出器及びセンサは、高レベルの分析または複数のタイプの事象の検出を可能にするのに必要な詳細を有するデータを取得することができない。例えば、従来の受動型赤外線(PIR: passive infrared)動き検出器は、1個と4個の間の焦電セルを備えて構築されるが、これらの検出器は、特定の領域における熱エネルギーの変化を検出するのに良好であるに過ぎず、実際の緊急事態における1人以上の人の存在について知ることができない。
【０００４】
したがって、このタイプの従来のデバイス、センサ、及び検出器は、異なるデバイス、センサ、及び検出器が一体的な監視及び制御を提供しなければならないため、コスト効率が悪い。さらに、多くの異なるデバイス、センサ、及び検出器が設置される場合でさえ、それらは、建物の監視及びスマート制御に必要な詳細なデータを提供することができない。より多くの従来のセンサ及び検出器が実装されるにつれて、コストは指数関数的に上昇し、必要とされる性能よりも劣るか、または単に不十分な性能を提供し得る。
【先行技術文献】
【特許文献】
【０００５】
【特許文献１】米国特許出願公開第2013／321637号明細書
【特許文献２】米国特許出願公開第2013／201025号明細書
【発明の概要】
【発明が解決しようとする課題】
【０００６】
しかしながら、特許文献１は、現住者の安全性及び、建物及び構造のエネルギー効率を向上させるために、小型赤外線撮像モジュールの使用を監視及び制御するためのいくつかのシステム及び方法を記載することによって、これらの問題を部分的に解決している。一例では、赤外線撮像モジュールによって取り込まれた熱画像を分析して、人物の存在を検出し、エネルギーを消費する物体を識別及び分類し、環境条件を制御することができる。処理された熱画像に基づいて、様々なエネルギー消費物体（例えば、HVACシステム、照明、給湯器、電気器具等）を制御して、エネルギー効率を向上させることができる。別の例では、赤外線撮像モジュールによって取り込まれた熱画像を分析して、可燃性ガス漏れ、COガス漏れ、水漏れ、火災、煙、及び電気ホットスポットなどの様々な危険な状態を検出することができる。危険な状態が検出された場合、警報を発生させることができ、及び／または、いくつかの物体を制御して、そのような状態を改善することができる。
【０００７】
他方、特許文献２は、工業プラントなどの施設におけるガス漏れ事故を監視するための方法及びシステムに関し、より詳細には、複数のライブビデオ画像が統合及び記録され、事故に対する適切な対応を保証し、緊急要員の訓練を改善するために対応の見直しを容易にする方法に関する。
【０００８】
緊急事態の元となった事故の犠牲者である可能性のある人を検出することが煙によって妨げられている状況で、救助サービスによって使用される熱ハンドヘルドカメラが、従来技術において知られている。とはいえ、これらのハンドヘルドカメラは、既に、意識不明、半意識不明、または、緊急事態が発生した建物内で、方向感覚を失っている人々の状況を事前に知ることが不可能であることに加えて、救助要員のその後のリスクを伴うため、その即時使用を必要とする。
【課題を解決するための手段】
【０００９】
本発明は、公共施設、建物、車両、及び輸送ネットワークにおける緊急事態を検出するための検出デバイスを記載する。検出デバイスは、１つまたは複数の煙検出センサ及び／または一酸化炭素（CO）検出センサと、領域の熱画像を取り込むように構成された１つまたは複数の赤外線撮像センサと、プロセッサと、通信モジュールと、を含む。プロセッサは、（i）熱画像を処理し、（ii）少なくとも１つの熱イメージングセンサの少なくとも１つのターゲット領域内の１つまたは複数の人物の存在を検出及び識別し、（iii）少なくとも部分的に、（a）少なくとも１つの煙検出器及び／または一酸化炭素検出器の起動と、（b）前述の熱画像によって検出された１つまたは複数の人物の存在と、に基づいて、緊急事態を制御するための制御信号を生成するように構成されている。通信モジュールは、前述の緊急事態を制御するための制御信号を送信するように構成されている。
【発明の効果】
【００１０】
本発明のシステムオブジェクトの主な利点は、緊急事態、特に煙または一酸化炭素の存在による緊急事態の場合に、システムが、特定の場所に存在する人（単数または複数）の検出及び識別を可能にし、その結果、検出器の作動によって画定される緊急事態区域が生じることである。
【００１１】
従来技術と比較して、本発明は一連の利点を提供する。上述の特許文献１及び２はすべて、固定テレビジョン（CCTV）または熱カメラを含むが、建物の状況を常に監視している。この点に関して、それらは、それ自体警告システムではなく、むしろ、以下の欠点を提供する統合監視システムである。(a)それらは、非常に大きな電力消費を必要とし、それは、それらが有線設備によって電力供給されなければならないことを意味し、そして、（b）それらは、個人のプライバシーを侵害し、それは、効率的な個人データ処理構造を実装し、あらゆる可能な法的制限、例えば、指令95／46／ECに記述されているものを遵守する必要があることを技術的に意味し、ここで、指令の遵守は、欧州連合の国々で義務付けられている。
【００１２】
上述のシステムと比較して、本発明は、対照的に、単一のデバイスにおいて、COガスセンサ及び／または煙センサ、及び特定の実施形態においては、温度センサを実施し、これらのセンサ（煙／一酸化炭素／熱センサ）の1つにおいて警告が生成されたときにのみ、熱イメージングセンサがアクティブモードに遷移し、画像を取り込むか、またはアクティブな煙、ガス、または熱センサによって検出される異常な状況に明らかに関連する特定の影響領域のビデオを記録する。
【００１３】
続いて、本発明の装置オブジェクトのプロセッサにおいて、熱カメラによって取り込まれた画像（単数または複数）を用いて、アルゴリズムは、調査領域の熱マップを作成し、煙、ガス、または熱センサの活性化をもたらし得る人物の存在または不在、及びあり得る焦点を識別する。この熱マップは、物理的制御センタとして働き、本発明の装置によって送信される熱マップをジオロケーションシステムと関連付けるように構成されたサーバにテレマティックに送信され、緊急事態が、緊急事態サービスに送ることができる測位マップまたはプラン上に置かれ、それにより、例えば携帯電話またはタブレットなどのユーザ端末から、熱カメラによって受信されたリアルタイムの緊急事態の現在の状況及び以前の状況の両方の画像を使用して、緊急事態の現状の救助に先立って、救助要員が、救助の優先順位及び緊急事態エリアへの最適なアクセスルートを確立することができる。
【図面の簡単な説明】
【００１４】
【図１】本発明の装置オブジェクトのブロック図を描画する。
【図２】図１に示すような少なくとも１つの装置を含む、本発明のシステムオブジェクトを構成する異なる要素間の通信を描画する。
【発明を実施するための形態】
【００１５】
本発明の対象は、使用の汎用性及び普遍的な使用範囲である。一般に、本発明の装置オブジェクトは、公共施設（病院、保健所、臨界施設、産業施設）、建物（家庭、オフィス）、車両（船舶、飛行機、トラック、バス）、及び輸送ネットワーク（地下鉄、トンネル、鉄道輸送、事故による道路上の黒点）で使用することができる。本発明をこの普遍的な使用範囲にするために、装置の一次電源は再充電可能な電池である。施設に応じて、この再充電可能なバッテリは、電力グリッド、ソーラーパネル、またはそれが設置される車両の実際の電源に接続される。
【００１６】
電池の使用は自明ではない。上述のように、熱カメラは多くの電力を消費するので、カメラの効率的な電気的接続が、特に監視作業において動作が継続している場合に必要とされる。それにもかかわらず、緊急事態においては、まずは電力供給を考えるのが論理的であり、緊急事態にかかわらず運転を継続でき、かつ強力なシェルと組み合わせて、事故の「ブラックボックス」として使用できる独立した電力供給が必要である。
【００１７】
本発明の範囲は、明細書のこの部分に引用により組み込まれる特許請求の範囲によって定義される。
【００１８】
明細書及び特許請求の範囲を通して、単語「備える（comprises）」及びその変形は、他の技術的特徴、アクセサリ、コンポーネントまたはステップを除外しようとするものではない。当業者であれば、本発明の他の目的、利点、及び特徴は、一部は説明から、また一部は本発明を実践することから推論されるであろう。以下の実施例及び図面は、例示のために提供され、本発明を限定しようとするものではない。さらに、本発明は、本明細書で示される特定の実施形態及び好ましい実施形態の全ての可能な組み合わせを包含する。
【００１９】
一連の図面は、本発明をより良く理解するのに役立ち、その非限定的な例として提示される本発明の実施形態に明らかに関係する。
【００２０】
図１は、本発明の好ましい実施形態による緊急検出装置100を示す。
【００２１】
緊急検出装置100は、ガス検出センサ102、103、及び、適切な場合には温度センサ108、を除いて、好ましい実施形態の装置を構成する異なる要素を収容するシェル101を備える。このシェル101は、用途に応じて異なる構成を有することができるが、特定の実施形態では、シェル101は、衝撃破砕に耐えるように構成された保護ジャケット101aを備え、保護ジャケットの下に断熱層101bがある。本明細書において上記で定義したように、本発明の１つの目的は、検出装置100を緊急事態記録ボックスとして使用できるように、すなわち、緊急事態の場合に「ブラックボックス」のように動作するように、検出装置100に固有の安全機能を提供することである。
【００２２】
この安全機能を実行するために、シェル101は、以下の試験を克服することができる材料から作られなければならない。検出装置100をガスガンでアルミニウムターゲットに射出する最大力3，500キロの衝撃試験；3メートルの高さから検出装置100上に強化鋼チップを備えた225キロの質量を落とした貫通抵抗試験；アクチュエータが2，300キロポンドの圧縮を適用する静的破砕試験；相当の深さ（建物や輸送手段で使用されるかどうかに依存する）での浸漬試験；検出装置100が加圧塩水を満たしたチャンバ内で24時間耐えなければならない試験；そして最後に、検出装置100が1，100℃で炎にさらされる耐火特性をチェックする試験である。
【００２３】
一般に、シェル101は、ヨーロッパ規格EN62262に規定されている耐火性及び耐衝撃性のIK定格材料から作られる。
【００２４】
シェル101自体は、検出装置100の「ブラックボックス」として使用することができないので、非常事態が継続している間、主電源が遮断されているか否かに拘わらず、検出装置100を動作させ続ける充電式バッテリ109を実装する必要がある。
【００２５】
検出装置100は、煙検出器102、または一酸化炭素検出器103、または煙検出器102と一酸化炭素検出器103との組み合わせからなる１つまたは複数のガス検出センサ102、103を含む。煙検出器と一酸化炭素検出器との組み合わせという表現は、両方の機能を組み合わせた単一のモジュールと、共に働く両方の検出器102、103を含むモジュールとの両方であると理解される。
【００２６】
煙検出器102は、従来技術において周知であり、場合によっては、一酸化炭素(CO:carbon monoxide)検出器も含む。一般に、煙検出器102は2つのタイプとすることができる。光検出器及びイオン化検出器である。
【００２７】
光学煙検出器102は、それらが所与の空間内の空気の散乱によって煙を検出するかまたは暗化によって煙を検出するかに応じて、2つのタイプであり得る。したがって、赤外線検出器は、発光素子と別の受光素子とから構成される。それらの間の空間が煙によって暗化すると、射出された光の一部だけが受光素子に到達し、それによって生成される電気信号が弱くなり、警報が作動する。さらに、スポット型光検出器では、発光素子及び受光素子は同じチャンバ内に収容されるが、出射光線が受光素子に到達しないように、それらの軸が90°を超える角を形成し、スクリーンによって分離されるため、それらは互いを見ることができない。煙がチャンバに入ると、射出された光ビームは煙粒子で屈折し、受光素子に到達し、アラームを作動させることができる。最後に、レーザ型検出器は、レーザ技術を用いて粒子クラスタリングチャンバの暗化を検出する。
【００２８】
さらに、検出装置100は、煙があるとき、及び、ちりまたはほこりがあるときを検出するように構成された命令を有するプログラムを実施する。したがって、数学的計算によって、煙またはほこりがあるかどうかをいくつかの変数で検証し、起動される前に自己検証を実行し、熱センサ104を起動するための信号を送信する。
【００２９】
イオン化煙検出器102は、光検出器よりも安価であり、光に影響を及ぼすには小さすぎる粒子を検出することができる。これらの警報のイオン化チャンバは、アルファ線を放射する無視できる量（1マイクログラム未満）のアメリシウム-241（241Am）を含む。この放射性同位元素は数世紀にわたってアルファ粒子（高エネルギーヘリウム核）を放出する。アルファ粒子の空気イオン化能力が高いため、約7cmの空気または紙のシートがこれらの粒子を吸収するのに十分である。放射は、2つの電極がある空間に対して開放されたチャンバを通過し、小さな一定の電流を許容する。煙がそのチャンバに入ると、空気のイオン化が減少し、電流が減少するか、または遮断さえされるので、警報が作動する。煙がイオン化チャンバに入ると、アルファ粒子は燃焼生成物によって事実上固定され、電流がかなり減少する。これらの検出器の作動は、空気の導電率の減少に基づいている。検出器の1つのチャンバは、アメリシウムと環境との間の接触を可能にする。前記空気は、241Am核の分解から生じるアルファ粒子の存在によってイオン化され、したがって再び導電性になり、それによって回路を閉じる。他の非イオン化粒子の存在は、チャンバ内部の導電率を低下させ、回路を遮断し、アラームを鳴らすことができる。これらの検出器中に存在するアメリシウムの量は、人の健康を危険にさらさないことを指摘すべきである。これらの警報は、廃棄物管理の観点から特別な取扱いを必要とし、他のものよりも高価となるため、市場から撤退した。
【００３０】
一般に、欧州連合では、煙検出器102は標準EN54に準拠しなければならない。
【００３１】
一酸化炭素検出器103は、2つのタイプであり得る。赤外線検出器又は化学検出器である。NDIR(non-dispersive infrared sensor: 火災及びガス検知器として一般的に用いられる単純な分光装置である非分散型赤外線センサ）は、その吸収特性により、ガス環境中のCOを検出するために用いられる分光センサ(spectroscopic sensor)である。主な構成要素は、赤外線源、光管、干渉（波長）フィルタ、及び赤外線検出器である。ガスは、光管内にポンピングまたは拡散され、電子機器は、光の特性である波長の吸収を測定する。NDIRセンサは、一酸化炭素を測定するために最も広く使用されているセンサである。
【００３２】
高感度ポリマーベースの層を有する化学COガスセンサは、消費エネルギーが非常に少ないという主な利点を有し、マイクロエレクトロニクスベースのシステムに適合させるために、より小さいサイズにすることができる。したがって、検出装置100は、好ましくは、化学技術に基づく一酸化炭素検出器103を統合するが、頻繁に再較正しなければならない。
【００３３】
特定の実施形態における煙検出器102及び一酸化炭素検出器103は、温度検出器108で補完することができ、それにより、関与する緊急事態のタイプ、例えば、熱は無いが二酸化炭素を伴う煙、二酸化炭素を伴う煙を伴わない熱、煙を伴わない熱を伴わない二酸化炭素、及び全てのあり得る組合せをより正確に評価することができる。なぜなら、それらの各々は、緊急事態のタイプまたはプロフィールを示し、そのような情報は、救助サービスに非常に有用であるからである。
【００３４】
検出装置100は、本質的に、1つ以上の熱イメージングセンサ104を備え、前記熱イメージングセンサ104は、監視領域200の熱画像を捕捉するように構成され、監視領域200は、熱イメージングセンサ104の視野によって画定され、ガスセンサ102、103の検出範囲と一致する。言い換えれば、センサ102、103、108の範囲が確立される空間または領域は、熱カメラまたは熱イメージングセンサ104の視野と一致しなければならない。
【００３５】
検出装置100は、少なくとも1つの赤外線撮像モジュール104（例えば、赤外線カメラまたは赤外線撮像装置）を含む。「赤外線カメラ」、「赤外線撮像デバイス」、「熱カメラ」または「熱視覚デバイス」という表現は、本明細書では、この赤外線熱イメージングモジュール104を定義するために互換的に使用される。何れにせよ、参照符号104は、その文言で使用される同義語にかかわらず、常に同じオブジェクトを指す。
【００３６】
図示のように、熱カメラ104は、電子回路105、106、107と共にシェル101内に収容され、シェル101は、その保護ジャケット及び耐火性の特徴により、検出センサ102、103、108の何れかが作動されると、カメラ104が動作することを可能にする。熱カメラ104の起動は、検出器102、103、108が起動されるときには自動的であるが、起動停止は手動で、またはサーバ300から遠隔で行われなければならないことに留意されたい。これは、システムが備えなければならない固有の安全性のためである。上述のように、検出センサ102、103、108の何れも、シェル101によって覆われていないが、それは、それらが好ましくは分散され、中央ノードのように動作する検出装置100と接続されているからである。この構成は、シェル101が最大の緊密性及び保護ジャケット特徴を備えなければならないので有利である。センサがその内部に配置されると、それらの機能を実行することができなくなる。さらに、これは、同じ検出装置100でより大きな領域をカバーすることができるので、アセンブリを多用途にする。とはいえ、センサ102、103、108が作動する場合には、熱カメラ104はできるだけ多くの画像を捕捉しなければならず、中央サーバが、緊急事態が制御されていることを確認したときにのみ記録を停止する。または手動で記録を停止することができる。言い換えれば、先験的に、センサ102、103、108自体が物理的に損傷を受けているか、または検出装置100との通信が遮断されているかもしれないので、警報によるセンサ102、103、108の非活動化は、記録を自動的に停止することができない。
【００３７】
シェル101は、熱カメラ104と、及び電子制御回路とを収容する。電子制御回路は、メモリ105、1つまたは複数のプロセッサ106、無線通信モジュール107、及びメモリ105に格納された１つまたは複数のプログラムを含む。プログラムは、1つまたは複数のプロセッサ106によって実行されるように構成され、以下に詳細に説明される、緊急事態を検出するための一連の重要な機能を実行するための命令を含む。
【００３８】
1つまたは複数のプロセッサ106は、任意の適切な処理デバイス、例えば、論理デバイス、マイクロコントローラ、プロセッサ、特定用途向け集積回路(ASIC: application-specific integrated circuit)、または他の類似のまたは等価なデバイスとして実装され得る。
【００３９】
メモリ105は、検出装置100に実装されるプログラム、及び熱カメラ104によって取り込まれる熱画像の安全な記憶に適した記憶容量を有するフラッシュ型メモリでなければならない。
【００４０】
実装される第1の機能は、少なくとも1つの火災及びガス検出センサ102、103が作動されるときに、少なくとも1つの熱イメージングセンサ104を作動させることである。言い換えれば、熱カメラ104は、緊急事態の場合にのみ作動し、電力供給の問題、特に、熱カメラ104または監視領域200の視野内の人物201のプライバシーに関する問題を防ぐ。
【００４１】
熱カメラ104が作動されると、熱イメージングセンサ104を作動させた火災及びガス検出センサ102、103の監視領域200に関連する少なくとも1つの熱画像が捕捉されなければならない。明らかに、熱カメラ104は、何が起こっているか及びその理由を正確に知るために、ガス検出センサ102、103の検出領域に焦点を合わせなければならない。
【００４２】
次いで、監視領域200で捕捉された熱画像が処理される。画像を処理する目的は、捕捉された熱画像を分析することによって、監視領域200内の1人以上の人物201の存在を正確に検出し、識別することである。身体の熱フットプリントに依存して、連続的な画像取り込みにおける身体の動きを分析することによって、意識（覚醒）状態、半意識消失状態、及び意識消失状態を区別することが可能である。この情報は、緊急事態における救助決定を行うために不可欠であり、リアルタイムでサーバ300に通信される。
【００４３】
画像はリアルタイムで送信される。そのために、検出装置100は、無線通信モジュール107を介して外部サーバ300によって理解され得る警告メッセージを送信し、前記メッセージは、少なくとも以下を含む。信号を発信した検出装置100の一意の識別コードと、作動中の火災及びガス検出器102、103の一つの識別コードと、少なくとも1つの火災及びガス検出器102、103の作動が行われた監視領域200の少なくとも1つの処理済み熱画像と、である。
【００４４】
さらに、熱画像によって検出された1人以上の人物の存在が、処理された熱画像に示される場合、検出された人物201が意識不明か、半意識不明か、または方向を失っているかに応じて、優先度コードが含められる。
【００４５】
図2に示すように、公共施設、建物、車両、及び交通ネットワークにおける緊急事態を検出するための緊急事態検出システムは、図1に示し、説明されたような少なくとも1つの検出装置100を備える。さらに、システムは、中央処理装置（CPU）を含むコンピュータと、ランダムアクセスメモリ（RAM）及び読み出し専用メモリ（ROM）を含むシステムメモリと、メモリをCPUに接続するシステムバスと、として構成されたサーバ300を含む。ROMには、例えば起動時などにコンピュータ内に配置された要素間で情報を転送するのを助ける基本ルーチンを含む基本入出力システムが格納されている。コンピュータは、オペレーティングシステム、アプリケーションプログラム、及び他のプログラムモジュールを記憶するための大容量記憶装置も含み、これについては以下でさらに詳細に説明する。
【００４６】
大容量記憶装置は、（図示しない）バスに接続された大容量記憶制御装置によってCPUに接続される。大容量記憶装置及びその関連するコンピュータ可読媒体は、コンピュータに不揮発性記憶装置を提供する。本明細書に含まれるコンピュータ可読媒体の説明は、例えば、ハードドライブまたはCD-ROMユニットなどの大容量記憶装置に言及するが、当業者は、コンピュータ可読媒体が、コンピュータによってアクセスされ得る任意の媒体であり得ることを理解するであろう。
【００４７】
非限定的な例として、コンピュータ可読媒体は、コンピュータ記憶媒体及び通信手段を含むことができる。コンピュータ記憶媒体は、例えば、コンピュータ可読命令、データ構造、プログラムモジュール、または他のデータなどの情報を記憶するための任意の方法または技法で実装される、揮発性及び不揮発性媒体、取り出し可能及び取り出し不能媒体を含む。コンピュータ記憶媒体には、RAM、ROM、EPROM、EEPROMメモリ、フラッシュメモリまたは他のソリッドステートメモリ技術、CD-ROM、DVD(digital versatile disc)または他の光記憶デバイス、磁気カセット、磁気テープ、磁気ディスク記憶デバイスまたは他の磁気記憶デバイス、あるいは所望の情報を記憶するために使用することができ、コンピュータによってアクセスすることができる任意の他の媒体が含まれるが、これらに限定されない。
【００４８】
本発明の様々な実施形態によれば、コンピュータは、例えば、インターネットなどのネットワーク302によるリモートコンピュータとの論理接続を使用するネットワーキング環境で動作することができる。コンピュータは、バスに接続されたネットワークインターフェースユニットを介してネットワーク302に接続することができる。ネットワーク・インターフェース・ユニットは、他のタイプのリモート・コンピュータ・システム及びネットワークと接続するために使用することもできることを理解されたい。コンピュータはまた、キーボード、電子スタイラスを含む複数の他の装置からの入力を受信し、処理するための入力／出力コントローラを含むことができる。同様に、入出力コントローラは、表示画面、プリンタ、または別のタイプの出力デバイスに出力を提供することができる。
【００４９】
上記で簡単に示したように、複数のデータファイル及びプログラムモジュールは、大容量記憶装置及びコンピュータのRAMに記憶することができ、例えば、マイクロソフト社(MICROSOFT CORPORATIONのWINDOWS（登録商標）オペレーティングシステムなど、ネットワーキングパーソナルコンピュータの動作を制御するのに適したオペレーティングシステムを含む。大容量記憶装置及びRAMは、1つまたは複数のプログラムモジュールを記憶することもできる。特に、大容量記憶装置及びRAMは、ウェブブラウザアプリケーションプログラムを記憶することができる。当業者が知るように、ウェブブラウザアプリケーションプログラムは、例えば、HTMLを使用してフォーマットされたウェブページなどの電子文書をインタラクティブに要求し、該電子文書を受信し、再生し、提供するように動作する。本発明の一実施形態によれば、ウェブブラウザアプリケーションプログラムは、SUN MICROSYSTEMS, INC.のJAVASCRIPT（登録商標）言語などのウェブページに含まれているコマンドを実行するためにも動作し得る。本発明の実施例によれば、ウェブブラウザアプリケーションプログラムは、MICROSOFT CORPORATIONのINTERNET EXPLORERウェブブラウザアプリケーションプログラムを含む。しかしながら、例えば、MOZILLA FOUNDATIONのFIREFOXウェブブラウザアプリケーションなど、他の製造業者の他のウェブブラウザアプリケーション・プログラムを、本発明の様々な態様に使用できることを理解されたい。
【００５０】
特に、ウェブページは、ウェブブラウザアプリケーションによって提示されるとき、サーバ300として動作するコンピュータに記憶された1つまたは複数のプログラムの視覚的表現を提供するHTML及びコマンドを含むことができる。同様に、ウェブページに含まれるコマンドは、コンピュータのユーザが、ウェブブラウザアプリケーションによって供給される提示とやり取りし、アプリケーションを変更することを可能にする。
【００５１】
サーバ300の主な機能は、作動している検出装置100によって送信された情報と共に、少なくとも1つの救助端末301に座標を送信するために、作動している検出装置100とその地理的位置との間の対応を確立することである。したがって、サーバ300は、緊急事態の優先順位を確立し（すなわち、システム動作における偽陽性を排除し、または誤りを排除する）、緊急事態が現実であると確定された場合、救助端末301に緊急事態の地理的参照位置マップを提供し、緊急事態への最適なアクセス経路を計算して救助端末301に提供し、検出された緊急事態のタイプ（ガス、煙、人物201の存在の有無）を示し、1つまたは複数の検出装置100から受信された処理済み熱画像をリアルタイムで提供するように構成される。
【００５２】
救助端末301は、携帯電話、コンピュータタブレットデバイス、ポータブルコンピューティングデバイス、パーソナルデジタルアシスタント、または任意の他の適切なモバイルデバイスなどの小型のポータブルデバイスで実装することができる。
【００５３】
2G／3G／4Gまたは類似の通信システムは、主通信が切断された場合に通信を保証するために、説明されたすべての実施形態において実装される。
【００５４】
適切な場合、本開示において提供されるいくつかの実施形態は、ハードウェア、ソフトウェア、またはハードウェアとソフトウェアとの組み合わせを使用して実装され得る。また、適切であれば、特許請求の範囲で定義される本発明の目的から逸脱することなく、本文書で確立される様々なハードウェアコンポーネント及び／またはソフトウェアコンポーネントを、ソフトウェア、ハードウェア、及び／または両方を含む複合コンポーネントに組み合わせることができる。適切であれば、本明細書で確立された様々なハードウェアコンポーネント及び／またはソフトウェアコンポーネントは、特許請求の範囲で定義された本発明の目的から逸脱することなく、ソフトウェア、ハードウェア、または両方を含むサブコンポーネントに分離することができる。さらに、適切な場合、ソフトウェアコンポーネントは、ハードウェアコンポーネントとして実装され得、逆もまた同様であることが企図される。
【００５５】
非一時的な命令、データ及び／またはプログラムコードなどの本説明によるソフトウェアは、1つまたは複数の非一時的な機械可読媒体に格納することができる。本明細書で識別されるソフトウェアは、1つまたは複数の汎用または特定目的ネットワーキング・コンピュータ及び／またはコンピューティング・システム、及び／または別のタイプのネットワーク・コンピュータ及び／またはコンピューティング・システムを使用して実装することができることも企図される。適切であれば、本明細書で説明される様々なステップの順序は、本明細書で説明される特徴を提供するために、変更及び／またはサブステップに分割することができる。
【００５６】
上述した実施形態は、本発明を例示するものであるが、本発明を限定するものではない。また、本発明の目的に従って、多くの変更及び変形が可能であることも理解されたい。したがって、本発明の範囲は、請求項によってのみ定義される。
【図１】
2019534488.tif 000003
【図２】
2019534488.tif 000004
【国際調査報告】
2019534488.tif 000005
2019534488.tif 000006
2019534488.tif 000007
2019534488.tif 000008
2019534488.tif 000009
2019534488.tif 000010